(57)【特許請求の範囲】
【請求項１】
ハンカチ型布ナプキン自体と一体化させて形成した、下着と固定するための固定用部位を有するハンカチ型布ナプキンに、切り口を設け、その切り口を固定用部位が通過することによって、ハンカチ型布ナプキンの両面のどちら側を使用する際にも下着と固定できることを特徴とするハンカチ型布ナプキン。
【請求項２】
切り口を有し、その切り口を利用して他の固定用具と組み合わせ、下着と固定でき、複層から成るハンカチ型布ナプキンの、両面に切り口を有し、その切り口は布の全層を貫通しておらず、片面ごとに独立した状態で設けられていることを特徴とするハンカチ型布ナプキン。
【発明の詳細な説明】
【技術分野】
【０００１】  この発明は、生理・おりもの・尿もれ防止用のハンカチ型布ナプキンの形状に関する。
【背景技術】
【０００２】  従来のハンカチ型（もしくはプレーンタイプと呼ばれる）布ナプキンは、使用者が経血・おりもの・尿などを吸収させる際に、状況に応じて折りたたんだり向きを変えたり裏返したりして、厚みや肌に当てる位置を調整しながら、それひとつで何度も肌側にきれいな面を向け直すことができ、快適な状態で長時間使用出来るという長所がある。従来使用されているこれらのハンカチ型布ナプキンは、図１７に示されているように、単体の使用では下着に固定させることが出来ないもの、図１８に示されているように、別途のホルダーに付随する紐やポケット等でこれを固定させるもの、図１９に示されているように、ハンカチ型布ナプキン自体の片面側に、下着に固定させるための羽根がとりつけられているもの、図２０に示されているように、別途のホルダーを利用して下着と固定させることが出来るよう、布地の一部が縫い合わされず環状になっているもの、及び図２１に示されているように、別途の環状ホルダーで巻きつけてこれを下着に固定させるものである。
【先行技術文献】
【特許文献】
【０００３】
【特許文献１】公開特許公報（Ａ）  特許公開２００４−３３７２０４
【特許文献２】公開特許公報（Ａ）  特許公開２００６−６８１３６
【特許文献３】登録実用新案公報（Ｕ）登録実用新案第３１４３６２５号
【発明の概要】
【発明が解決しようとする課題】
【０００４】  一方、従来のハンカチ型布ナプキンの短所としては、図１７に示されている単体使用で下着に固定させることが出来ないものは、使用中に位置ずれが生じたり、トイレでの下着の着脱の際に落とす可能性がある。図１８に示されているホルダーに取り付けられた紐やポケット等でこれを固定させるものは、吸収体であるハンカチ型布ナプキンよりも先に紐やポケット部分に汚れが付着する場合があり、ハンカチ型布ナプキンを汚れのない新しいものに取り替えても、ホルダー部分の汚れを肌側に向けて使用し続けることになり清新さに欠ける。図１９に示されているハンカチ型布ナプキン自体の片面側に下着に固定させるための羽根がとりつけられたものは、ハンカチ型布ナプキンを裏返した際、下着に固定させるために羽根を利用することが出来ない。図２０のホルダーを利用して下着と固定させることが出来るよう、布地の一部が縫い合わされず環状になっているものも、向きを変えたり裏返した際、環状部分を下着と固定させるために利用出来ない。また、図２１の環状ホルダーで巻きつけるタイプは、ハンカチ型布ナプキンよりも先にホルダーに汚れが付着してしまうので、汚れのないものと取り替えたい場合にはホルダーも同時に交換する必要がある。
そこで、この発明は、上記に述べる短所を補うべく、汚れのないきれいな面を肌側に向け直すために向きを変えたり裏返して折りたたんでも、下着に固定することが可能な形状にすることによって、従来のハンカチ型布ナプキンの持つ長所を、より有効的に利用出来るよう改善することを課題とする。
【課題を解決するための手段】
【０００５】  以上の課題を解決するために、第一発明は、ハンカチ型布ナプキンに切り口を設けることにより、その切り口を利用して他の固定用具と組み合わせ、下着と固定することが可能なハンカチ型布ナプキンである。
第二発明は、図１９に示す背景技術と第一発明を組み合わせ応用したもので、ハンカチ型布ナプキンに設けた切り口を通じて、ハンカチ型布ナプキン自体と一体化させて形成した固定用部位を、ハンカチ型布ナプキンの両面のどちら側を使用する際にも、下着と固定させるために利用できるようにしたハンカチ型布ナプキンである。
また、第三発明は、複層から成るハンカチ型布ナプキンの、面Ａ、面Ｂの両面の面上に設ける切り口を、布の全層を貫通させず、面Ａ側、面Ｂ側それぞれに独立した状態で設けたハンカチ型布ナプキンである。
【発明の効果】
【０００６】  第一発明によれば、ハンカチ型布ナプキンの切り口に固定用具を組み合わせて下着と固定させることによって、吸収体であるハンカチ型布ナプキンを固定用具よりも肌側に向けた状態で、位置ずれや落下を防止することが出来る。汚れの付着していない新しい面が肌側に出るよう折り直すために、向きを変えたり裏返してもこの切り口の有効性が継続される。
第二発明によれば、ハンカチ型布ナプキンの面Ａ側、面Ｂ側のどちらを使用する際にも、ハンカチ型布ナプキンと一体化させて形成した固定用部位を、切り口を通じて、下着に固定するために利用することが可能となるため、汚れのない新しい面が肌側に出るよう折りたたみ、かつ、位置ずれや落下を防止した状態での使用パターンを、従来のハンカチ型布ナプキンよりも増やすことができ、より長く快適な状態を持続させることが可能となる。
第三発明によれば、ハンカチ型布ナプキンの面Ａ側を使用する場合と面Ｂ側を使用する場合とで、折りたたみ使用時のハンカチ型ナプキンの長さを変化させて下着に固定させることが可能となる。
【図面の簡単な説明】
【０００７】
【図１】第一発明の一実施形態（実施例１）を示す正面図である。
【図２】第一発明の一実施形態（実施例１）を示す斜視図である。（ａ）表面の斜視図である。（ｂ）裏面の斜視図である。
【図３】第一発明の一実施形態（実施例１）を示す断面図である。（ａ）切断面を示す図である。（ｂ）（ａ）の断面線を示す図である。
【図４】実施例１の使用例を示す図である。（ａ）表面の上から固定用具（布ライナー）をセットした場合の正面図である。（ｂ）（ａ）の側面図である。（ｃ）（ａ）を下着にセットした場合の正面図である。（ｄ）裏面の下から固定用具（布ライナー）をセットした場合の正面図である。（ｅ）（ｄ）の側面図である。（ｆ）（ｄ）を下着にセットした場合の正面図である。（ｇ）（ｃ）及び（ｆ）の側面図である。（ｈ）固定用具（布ライナー）の正面図である。（ｉ）固定用具（ホルダー）の正面図である。（ｊ）固定用具（紐）の正面図である。
【図５】第一発明の一実施形態（実施例２）を示す正面図である。
【図６】第一発明の一実施形態（実施例２）を示す斜視図である。
【図７】実施例２の使用例を示す図である。（ａ）紐付きホルダーにセットした場合の正面図である。（ｂ）（ａ）の斜視図である。（ｃ）ポケット付きホルダーにセットした場合の正面図である。（ｄ）（ｃ）の斜視図である。
【図８】第二発明の一実施形態（実施例３）を示す正面図である。（ａ）面Ａ側から見た正面図である。（ｂ）面Ｂ側から見た正面図である。点線部分は、裏面の羽根部分の透過図である。
【図９】第二発明の一実施形態（実施例３）を示す斜視図である。
【図１０】実施例３の使用例を示す図である。（ａ）面Ａを上面にして三つ折りし、下着にセットした場合の正面図である。（ｂ）面Ｂを上面にして三つ折りし、下着にセットした場合の正面図である。
【図１１】第二発明の一実施形態（実施例４）を示す正面図である。（ａ）面Ａ側から見た正面図である。（ｂ）面Ｂ側から見た正面図である。点線部分は、裏面の紐部分の透過図である。
【図１２】第二発明の一実施形態（実施例４）を示す斜視図である。
【図１３】実施例４の使用例を示す図である。（ａ）ハンカチ型布ナプキンの左右部分を並行に三つ折りし、表面から見た場合の正面図である。（ｂ）（ａ）を裏面から見た場合の正面図である。（ｃ）ハンカチ型布ナプキンを斜めに置き、対角線を中心に三つ折りし、表面から見た場合の正面図である。（ｄ）（ｃ）を裏面から見た場合の正面図である。
【図１４】第三発明の実施形態（実施例５）を示す正面図である。（ａ）面Ａ側から見た正面図である。（ｂ）面Ｂ側から見た正面図である。
【図１５】第三発明の実施形態（実施例５）を示す分解斜視図である。
【図１６】実施例５の使用例を示す図である。（ａ）面Ａ側に固定用具（布ライナー）をセットした場合の正面図である。（ｂ）（ａ）を三つ折りし、下着にセットした場合の正面図である。（ｃ）面Ｂ側に固定用具（布ライナー）をセットした場合の正面図である。（ｄ）（ｃ）を三つ折りし、下着にセットした場合の正面図である。
【図１７】従来技術の一実施形態を示す図である。（ａ）正面図である。（ｂ）三つ折りし、下着にセットした場合の正面図である。
【図１８】従来技術の一実施形態を示す図である。（ａ）正面図である。（ｂ）（ａ）を三つ折りした場合の正面図である。（ｃ）（ｂ）を紐付きホルダーにセットした場合の正面図である。（ｄ）（ｂ）をポケット付きホルダーにセットした場合の正面図である。
【図１９】従来技術の一実施形態を示す図である。（ａ）面Ａ側から見た正面図である。（ｂ）面Ｂ側から見た正面図である。（ｃ）三つ折りし、下着にセットした場合の正面図である。
【図２０】従来技術の一実施形態を示す図である。（ａ）面Ａ側から見た正面図である。（ｂ）面Ｂ側から見た正面図である。（ｃ）（ｂ）の斜視図である。ハンカチ型布ナプキンが環状になっている状態をわかりやすく点線で示している。（ｄ）ハンカチ型布ナプキンの環状部分に固定用具（ホルダー）をセットした場合を面Ｂ側から見た正面図である。（ｅ）（ｄ）を三つ折りし、下着にセットした場合の正面図である。
【図２１】従来技術の一実施形態を示す図である。（ａ）ハンカチ型布ナプキン本体の正面図である。（ｂ）（ａ）を三つ折りした場合の正面図である。（ｃ）環状ホルダー本体の正面図である。（ｄ）（ｂ）の上に（ｃ）をセットした場合の正面図である。（ｅ）（ｄ）を下着の上にセットし、スナップボタンを留めて固定した場合の正面図である。
【発明を実施するための形態】
【実施例１】
【０００８】  この発明の基本となる第一発明の一実施形態を、図１、図２、図３、図４に示す。
ハンカチ型布ナプキンの本体１は、一辺が２１ｃｍの正方形の綿生地三枚によって構成されており、一方の表側から、一枚目は綿製のプリント片面起毛ネル、二枚目は綿製の無地両面起毛ネル、三枚目は綿製の色柄ダブルガーゼである。この３枚の布生地をぴったりと合わせ、四隅の角を切り落として丸め、ミシンの縁かがり縫いによって周囲を縫い合わせる。実際に使用する際には、両面とも使用可能である。このハンカチ型布ナプキンの中央部分に切り口２を設ける。切り口の位置は、一辺２１ｃｍの正方形を一辺７ｃｍの正方形九つに分けた場合、丁度真ん中の位置にくる正方形の左右二辺にあたる。この二辺は、生地を切り、その切り口の周囲をぐるりと一周ミシンの縁かがり縫いで縫う。このハンカチ型布ナプキンを折りたたんだ状態で下着１４に固定させるため、図４（ａ）（ｂ）に示すように、他の固定用具であるスナップボタン式羽根付き布ライナー３を、広げて置いたハンカチ型布ナプキンの上に重ねて置き、布ライナーの羽根部分を切り口に挿入して組み合わせ、図４（ｃ）（ｇ）に示すように、ハンカチ型布ナプキンを三つ折りにして下着にセットし、布ライナーのスナップボタン８を留めて固定させる。ハンカチ型布ナプキンが汚れたら、固定用具をいったん外し、図４（ｄ）（ｅ）に示すように、ハンカチ型布ナプキン１を裏返して、９０度向きを変える。この時切り口２は、一辺２１ｃｍの正方形を一辺７ｃｍの正方形九つに分けた場合、丁度真ん中の正方形の上下二辺にあたる位置となる。ハンカチ型布ナプキン１の下に布ライナー３を置き、切り口２に布ライナーの上下部分を挿入して組み合わせ、図４（ｆ）（ｇ）に示すように、ハンカチ型布ナプキンを三つ折りにして下着にセットし、布ライナーのスナップボタン８を留めて固定させる。この実施例では固定用具は、図４（ｈ）に示す布ライナーの他に、図４（ｉ）に示すホルダーでも代用できる。また、図４（ｊ）に示す紐でも、図４（ａ）で示されているように、ハンカチ型布ナプキンの切り口が縦方向となるようにセットすることで、裏返したり、１８０度向きを変えても、固定用具として使用できる。【０００９】「実施例１による実施形態の効果」
この実施形態によれば、ハンカチ型布ナプキン１に設けた切り口２（挿入孔）に他の固定用具を通して組み合わせることによって、下着との固定が可能である。使用した面が汚れてきれいな面と入れ替えたい場合は、裏返したり、９０度、あるいは１８０度向きを変えて三つ折りし直した場合でも、この切り口を利用して固定用具と組み合わせ、ハンカチ型布ナプキンを下着に固定することが出来る。また、ハンカチ型布ナプキンを三つ折りして下着に固定した際には、切り口が両脇もしくは下着側に位置する状態になるため、吸収力や肌触りにも何ら支障なく使用することが出来る。
【実施例２】
【００１０】  第一発明の他の実施形態を図５、図６、図７に示す。
この実施形態では、ハンカチ型布ナプキン１に、上下二辺のそれぞれの両端から７ｃｍの位置に、切り口２を設ける。【００１１】「実施例２による実施形態の効果」
この実施形態によれば、図１８（ｃ）（ｄ）のホルダーに使用する場合でも、ホルダーの紐１０やポケット１２を切り口２（切り込み）に通すことによって下着と固定でき、なおかつホルダーに取り付けられた紐やポケットよりも、先にハンカチ型布ナプキン１に汚れがつくため、ホルダーの紐やポケットが汚れにくい。ハンカチ型布ナプキン１を１８０度向きを変えたり、裏返して三つ折りし直した場合でも、この切り口２の有効性は持続される。また、ハンカチ型布ナプキンを三つ折りしてホルダーにセットし下着に固定した際には、切り口は両端に位置する状態になり、吸収力や肌触りにも支障はない。
【実施例３】
【００１２】  第二発明の一実施形態を図８、図９、図１０に示す。
この実施形態は、図１９に示す従来技術に第一発明実施例１同様の切り口を設けたものである。
ハンカチ型布ナプキン１に設けた切り口２を通じて、ハンカチ型布ナプキン自体と一体化させて形成した固定用部位である、スナップボタン８のついた羽根部分６を、面Ａ側、面Ｂ側のどちら側へでも出せるようにとりつける。【００１３】「実施例３による実施形態の効果」
図１９に示す従来技術によるハンカチ型布ナプキンでは、固定用部位である羽根部分を下着に固定させるため有効に利用することができるのは、片面側での三つ折り使用時に限られる。この実施形態にすることによって、片面側だけでなく、両面どちらでも三つ折り使用しながら下着に固定させることが可能になる。
【実施例４】
【００１４】  第二発明の他の実施形態を図１１、図１２、図１３に示す。
ハンカチ型布ナプキン１自体と一体化させて形成する固定用部位を、紐７にスナップボタン８を付けたものとし、これを、ハンカチ型布ナプキン１の切り口２の両端４箇所に１本ずつそれぞれ取り付ける。これによって、図１３（ａ）のように三つ折りする場合は、図１３（ｂ）に示すように、隣り合う紐同士をスナップボタン８で留めて下着に固定し、また、図１３（ｃ）のように斜め方向に三つ折りする場合は、図１３（ｄ）に示すように、４本の紐のうち隣り合わず、かつ、下着の横部分に位置する２本の紐同士をスナップボタン８で留める。紐７に取り付けるスナップボタン８は、前述の２パターンどちらの折り方にも対応できるよう、４本のうち２本の紐には、２つずつ取り付ける。【００１５】「実施例４による実施形態の効果」
この実施形態では、ハンカチ型布ナプキン１自体と一体化させて形成する固定用部位を、羽根状ではなく紐７にすることによって、就寝時に長さが必要な場合に、ハンカチ型布ナプキン１を斜め方向に長く三つ折りしても、下着に固定させることが出来る。紐７は、ハンカチ型布ナプキン１の切り口２を通じて、面Ａ側、面Ｂ側のどちら側を使用して折りたたんだ際にも、下着と固定させるため有効に利用できる。
【実施例５】
【００１６】  第三発明の実施形態を図１４、図１５、図１６に示す。
この実施形態では、ハンカチ型布ナプキン１を三層構造とし、面Ａ、面Ｂのそれぞれ表面の布一枚ずつに切り口２を設ける。切り口２は三枚の布の全層を貫通していない。面Ａ側では、図１４（ａ）に示されているようにハンカチ型布ナプキンの形状に対して並行に２つ、面Ｂ側では、図１４（ｂ）に示されているようにハンカチ型布ナプキンの形状に対して斜め４５度の角度で２つずつ設ける。これによって、面Ａ、面Ｂの切り口２はそれぞれ独立した別個のものとなる。図１６（ａ）（ｃ）に示されているように、この切り口２を利用して他の固定用具と組み合わせることによって、ハンカチ型布ナプキン１を図１６（ｂ）（ｄ）に示されているように下着１４にセットし、スナップボタン８を留めて固定させる。【００１７】「実施例５による実施形態の効果」
この実施形態によれば、面Ａの切り口（切り込み、挿入孔）に固定用具を組み合わせる場合と、面Ｂの切り口（切り込み、挿入孔）に固定用具を組み合わせる場合とで、折りたたみ方を変えた状態で下着に固定することが出来るハンカチ型布ナプキンとなる。これによって、ひとつのハンカチ型布ナプキンで縦横方向の三つ折り時に加え、長さが必要な就寝時などに斜め方向に三つ折り使用した状態でも、下着に固定させることが可能となる。また、表面側の布のみに設けた切り口２によってハンカチ型布ナプキン１が袋状となるため、その内部に別の当て布や防水布を挿入して使用することも可能となる。
【符号の説明】
【００１８】１  ハンカチ型布ナプキン本体            ２  切り口
３  布ライナー（固定用具）              ４  ホルダー（固定用具）
５  紐（固定用具）                      ６  羽根（固定用部位）
７  紐（固定用部位）                    ８  スナップボタン
９  紐付きホルダー本体                  １０  紐付きホルダーの紐
１１  ポケット付きホルダー本体          １２  ポケット付きホルダーのポケット
１３  環状ホルダー本体                  １４  下着
【図１】
0005636569.tif 000002
【図２】
0005636569.tif 000003
【図３】
0005636569.tif 000004
【図４】
0005636569.tif 000005
【図５】
0005636569.tif 000006
【図６】
0005636569.tif 000007
【図７】
0005636569.tif 000008
【図８】
0005636569.tif 000009
【図９】
0005636569.tif 000010
【図１０】
0005636569.tif 000011
【図１１】
0005636569.tif 000012
【図１２】
0005636569.tif 000013
【図１３】
0005636569.tif 000014
【図１４】
0005636569.tif 000015
【図１５】
0005636569.tif 000016
【図１６】
0005636569.tif 000017
【図１７】
0005636569.tif 000018
【図１８】
0005636569.tif 000019
【図１９】
0005636569.tif 000020
【図２０】
0005636569.tif 000021
【図２１】
0005636569.tif 000022